(57)【特許請求の範囲】
【請求項１】
複数の用紙を折ることにより本を生成する製本印刷が設定された場合、前記用紙に配置される画像データの形状に基づいて、前記画像データが前記本の見開きに配置されるべきか否かを判定する判定手段と、
前記本の見開きに配置されるべきと判定された画像データのオブジェクトに基づいて、該画像データを分割してレイアウトするか否かを決定する決定手段と、
前記決定手段によって分割すると決定された画像データから、前記見開きを構成する用紙にレイアウトする第１画像データ及び第２画像データを生成する生成手段と、
前記第１画像データ及び前記第２画像データが前記見開きを構成する用紙にレイアウトされるようにレイアウト処理を実行するレイアウト手段と、
を備え、
前記生成手段は、前記第１画像データの綴じ側部分と前記第２画像データの綴じ側部分とが同一の画像領域を共有するように、前記第１画像データ及び前記第２画像データを生成する第１生成手段を含む
ことを特徴とする画像処理装置。
【請求項２】
前記同一の画像領域は、前記決定手段によって分割すると決定された画像データの中心線を含む綴じ代幅の画像領域であることを特徴とする請求項１に記載の画像処理装置。
【請求項３】
前記決定手段は、画像データを分割した際に、前記画像データに含まれる１以上のオブジェクトが複数ページに分断されるか否かを判定する分断判定手段を備えることを特徴とする請求項１又は２に記載の画像処理装置。
【請求項４】
前記決定手段は、さらに、
前記分断判定手段による判定結果をユーザに通知する通知手段と、
画像データを分割するか否かの指示をユーザから受け付ける受付手段と、
を備えることを特徴とする請求項３に記載の画像処理装置。
【請求項５】
前記決定手段は、前記本の見開きに配置される画像データが、同一用紙の同一面かつ隣接位置にレイアウトされる場合に、当該画像データについてページ分割しないことを決定することを特徴とする請求項１乃至４の何れか１項に記載の画像処理装置。
【請求項６】
前記製本印刷は、中綴じ製本、平綴じ製本、くるみ製本を含むことを特徴とする請求項１乃至５の何れか１項に記載の画像処理装置。
【請求項７】
前記生成手段は、前記決定手段によって分割すると決定された画像データを中心線で分割し、該分割により得られる２つの分割画像データそれぞれにおいて、製本完了時に綴じ側部分の所定幅の領域を前記中心線と直交する方向に拡縮処理することにより、前記第１画像データと前記第２画像データとを生成する第２生成手段と、
前記第１生成手段により前記第１画像データ及び前記第２画像データを生成するか、前記第２生成手段により前記第１画像データ及び前記第２画像データを生成するか、を切り替える切替手段と、
をさらに含むことを特徴とする請求項１乃至６の何れか１項に記載の画像処理装置。
【請求項８】
前記第２生成手段は、総ページ数と現在処理中の画像データのページ番号とに基づいて前記拡縮処理による修正量を変更することを特徴とする請求項７に記載の画像処理装置。
【請求項９】
前記形状は、前記画像データの縦横それぞれの長さにより識別されることを特徴とする請求項１乃至８の何れか１項に記載の画像処理装置。
【請求項１０】
複数の用紙を折ることにより本を生成する製本印刷が設定された場合、前記用紙に配置される画像データの形状に基づいて、前記画像データが前記本の見開きに配置されるべきか否かを判定する判定工程と、
前記本の見開きに配置されるべきと判定された画像データのオブジェクトに基づいて、該画像データを分割してレイアウトするか否かを決定する決定工程と、
前記決定工程によって分割すると決定された画像データから、前記見開きを構成する用紙にレイアウトする第１画像データ及び第２画像データを生成する生成工程と、
前記第１画像データ及び前記第２画像データが前記見開きを構成する用紙にレイアウトされるようにレイアウト処理を実行するレイアウト工程と、
を備え、
前記生成工程では、前記第１画像データの綴じ側部分と前記第２画像データの綴じ側部分とが同一の画像領域を共有するように、前記第１画像データ及び前記第２画像データを生成する
ことを特徴とする画像処理装置の制御方法。
【請求項１１】
コンピュータに、
複数の用紙を折ることにより本を生成する製本印刷が設定された場合、前記用紙に配置される画像データの形状に基づいて、前記画像データが前記本の見開きに配置されるべきか否かを判定する判定工程と、
前記本の見開きに配置されるべきと判定された画像データのオブジェクトに基づいて、該画像データを分割してレイアウトするか否かを決定する決定工程と、
前記決定工程によって分割すると決定された画像データから、前記見開きを構成する用紙にレイアウトする第１画像データ及び第２画像データを生成する生成工程と、
前記第１画像データ及び前記第２画像データが前記見開きを構成する用紙にレイアウトされるようにレイアウト処理を実行するレイアウト工程と、
を実行させ、
前記生成工程では、前記第１画像データの綴じ側部分と前記第２画像データの綴じ側部分とが同一の画像領域を共有するように、前記第１画像データ及び前記第２画像データを生成する
ことを特徴とするコンピュータプログラム。
【発明の詳細な説明】
【技術分野】
【０００１】
本発明は、製本処理において入力画像を各ページにレイアウトする技術に関するものである。
【背景技術】
【０００２】
印刷業や複写業において、多品種少量印刷のツールとして、高速デジタル複合機を用いたＰＯＤ（プリント・オン・デマンド）が普及しつつある。オフィスにおいてはカタログなどの内製化を目的として、それぞれＰＯＤの取り組みが進んでいる。商業印刷では、高品位な成果物を作成するために、上製本、くるみ製本、平綴じ製本などのさまざまな製本印刷が行われている。また同時に低コストで成果物を作成するために、１枚の用紙に複数の原稿をページレイアウトして印刷後に断裁することが行われている。近年、デジタル複合機の高機能化が進み、商業印刷で行われていたくるみ製本などの製本方法がインライン製本機で実現可能となっている。
【０００３】
オフィス内の集中印刷室などでも、高品位な製本印刷の内製化が進んでいる。さらに、ＪＤＦ（Job Definition Format）という印刷業界標準のジョブチケットフォーマットや、ＭＩＳ（Management Information System）という経営情報システムと連携するシステムがある。それにより、印刷の原価管理・進捗管理などを含めたワークフローの構築が進んでいる。それらのワークフローでは、デジタル複合機と、商業印刷で利用されていた製本機をネットワークで結び、１Ｊｏｂで印刷から製本機による製本までを実現するニアライン製本も実現されている。ニアライン製本を用いることで、今まで高価な製本機でのみ実現可能であった特殊な製本方法（四つ折＋くるみ製本、平綴じ製本など）も１Ｊｏｂでデータ入稿から製本までを実現可能となっている。
【０００４】
また、入稿された原稿データを作成したアプリケーションに依存しないデータに変換して、ページレイアウト・ステイプル、パンチ穴などの加工指示を付加して印刷装置に出力することが一般的に行われている。これらのプリプレス処理を行うシステムにおいても、前述したワークフローに対応するべく、ＪＤＦＪｏｂの生成機能や多彩なページレイアウト機能の搭載など高機能化が図られている。
【０００５】
特許文献１は、製本印刷における見開きページのレイアウトに関する技術を開示している。特に、製本中綴じ印刷で、見開きの原稿を分割せずにページレイアウトするため、中綴じの一番内側にページレイアウトされるようにページ順を調整する技術に関するものである。
【特許文献１】特開２００６−２０５６４２号公報
【発明の開示】
【発明が解決しようとする課題】
【０００６】
しかしながら、上述の技術においては、見開きページを中綴じの一番内側にページレイアウトするため、当該見開きページを分割せずにページレイアウトすることが可能になるものの、適切なページ順で出力することは困難であった。また、以下に説明するように使用する製本方法を考慮する必要があり、ページレイアウトおよび製本印刷の高度な知識を必要とする。
【０００７】
図１４（ａ）〜（ｃ）は、各種製本方法における、用紙の台割り（用紙上のページレイアウト）を示す図である。図１４（ａ）は中綴じ製本、図１４（ｂ）は平綴じ製本、図１４（ｃ）は４つ折製本における各々の台割りを示している。また、図１５（ａ）〜（ｃ）は、各種製本方法の概念を示す図である。図１５（ａ）は中綴じ製本、図１５（ｂ）は平綴じ製本、図１５（ｃ）はくるみ製本の概念図である。
【０００８】
１４０１は用紙（台紙）、１４０２はページ、１４０３はページ番号を示している。見開きページは、本を開いたときに左右（上下）ページで一つの意味をなすページとなる。そのため台割りのなかには、見開きページとしてページレイアウト可能な部分と、そうでない部分が存在する。
【０００９】
例えば、図１４（ａ）に示す中綴じ製本では、中綴じしたときの一番外側と内側（１４０５）は、見開きレイアウト可能である。また、ページ番号２−３、４−５、８−９、１０−１１（１４０４）は、ページレイアウトされる用紙は異なるが、見開きレイアウト可能である。逆に、ページ番号１−２、３−４、５−６、７−８、９−１０、１１−１２は、ページ番号は連続しているが、用紙の表裏の関係になるため、見開きレイアウトすることは出来ない。なお、ページ番号２−３、４−５、８−９、１０−１１（１４０４）は、異なる用紙にページレイアウトすることになるので、見開き用の原稿データを分割する必要がある。一方、ページ番号１−１２、６−７は、同じ用紙にページレイアウトすることになるので、見開き用の原稿データを分割する必要はない。
【００１０】
図１４（ｄ）は、原稿データの分割の例を示している。１４０６は分割する前の原稿データである。見開きページ用に原稿データを分割する際は、基本的にデータの真ん中で分割を行い、分割後の２ページ（１４０７、１４０８）をページレイアウトする処理が行われる。図１４（ｂ）平綴じの場合は、ページ番号４−５、８−９（１４０４）は、見開き用の原稿データを分割して、見開きレイアウト可能である。ページ番号２−３、６−７、１０−１１（１４０５）は、見開き用の原稿データを分割せずに、見開きレイアウト可能である。図１４（ｃ）四つ折の場合は、ページ番号４−５は、見開き用の原稿データを分割せずに、見開きレイアウト可能である。このように、見開き原稿データのページレイアウト作業は、製本方法の台割りを考慮に入れた上で行う必要がある。
【００１１】
１５０１は用紙、１５０２はステイプルを示している。図１５（ａ）の１５０３は、中綴じ製本時のノドの特性を示している。ノドとは、本の内側の（綴じられている）部分を示す用語である。ノドの特性は、製本方法によって異なる。中綴じの場合、１５０３に示すように綴じによってノドがつぶれて見えなくなることは少ない。”ノドのつぶれ”とは、綴じ方（ステイプルや糊づけなどで本を綴じるとき）や用紙の厚みで、本を開いたときにノド側の用紙が見えなくなる現象を示す用語である。見開き用の原稿データを分割せずにレイアウト可能なページ部分については、基本的にノドのつぶれは発生しない。しかし、他のページについては、用紙の厚みで多少ノドのつぶれが発生する可能性がある。図１５（ｂ）の１５０４は、平綴じ製本時のノドの特性を示している。平綴じの場合、ステイプルなどの綴じが、用紙の開きと平行になるので、ノドのつぶれが大きく発生する。図１５（ｃ）のくるみ製本の場合は、前述の２つの製本方法とは異なるノドの特性を持つ。１５０５はくるみ製本の表紙、１５０６は表紙と中紙を綴じるための糊を示している。くるみ製本では、一般的に糊付けを行って製本を行う。そのとき、糊が良く付くように用紙のノド側を削る処理を行う。従って、削った分の用紙（１５０７）が本になったときになくなることになる。前述したノドのつぶれの影響を補正するために、作業者は”綴じ代”を設定してページレイアウトする原稿データの印刷位置をシフトする。ここで”綴じ代”とは、綴じたときの折りの影響によって見えなくなる幅のことである。これは、前述したノドのつぶれの幅と同等と言える。また、くるみ製本のノド側の削る幅は、”ミーリング幅”と呼ばれる。原稿データが削られないように、作業者はこの”ミーリング幅”を設定して、ページレイアウトする原稿データの印刷位置をシフトする。このように、製本印刷時のページレイアウト作業は、その製本のノドの特性に応じて、ページレイアウトした原稿を補正する必要がある。
【００１２】
このように、見開き原稿データのページレイアウト作業や、ノド側の補正作業は、ページレイアウトおよび製本印刷の高度な知識を必要とするため、一般的に専用の作業者によって行われていた。しかし、現在はニアライン製本などのワークフローで、オフィス環境でも特殊な製本が可能になってきている。そのため、プリプレスの作業をオフィスユーザが行うようになってきているが、製本方法に適したページレイアウトを行うことは、負荷の高い作業となっていた。
【００１３】
本発明は、上述の問題点に鑑みなされたものであり、製本方法に適したページレイアウトを簡単に行なえるようにすることを目的とする。また、製本方法に適した見開き原稿データのノドの補正処理を簡単に行なえるようにすることを目的とする。
【課題を解決するための手段】
【００１４】
上述の問題点の少なくとも１つを解決するために、本発明の画像処理装置は以下の構成を備える。すなわち、複数の用紙を折ることにより本を生成する製本印刷が設定された場合、前記用紙に配置される画像データの形状に基づいて、前記画像データが前記本の見開きに配置されるべきか否かを判定する判定手段と、前記本の見開きに配置されるべきと判定された画像データのオブジェクトに基づいて、該画像データを分割してレイアウトするか否かを決定する決定手段と、前記決定手段によって分割すると決定された画像データから、前記見開きを構成する用紙にレイアウトする第１画像データ及び第２画像データを生成する生成手段と、前記第１画像データ及び前記第２画像データが前記見開きを構成する用紙にレイアウトされるようにレイアウト処理を実行するレイアウト手段と、を備え、前記生成手段は、前記第１画像データの綴じ側部分と前記第２画像データの綴じ側部分とが同一の画像領域を共有するように、前記第１画像データ及び前記第２画像データを生成する第１生成手段を含む。
【発明の効果】
【００１７】
本発明によれば、製本方法に適したページレイアウトを簡単に行なえるようにする技術を提供することが出来る。また、製本方法に適した見開き原稿データのノドの補正処理を簡単に行なえるようにする技術を提供することが出来る。
【発明を実施するための最良の形態】
【００１８】
以下に、図面を参照して、この発明の好適な実施の形態を詳しく説明する。なお、以下の実施の形態はあくまで例示であり、本発明の範囲を限定する趣旨のものではない。
【００１９】
（第１実施形態）
本発明に係る画像処理装置の第１実施形態として、文書処理システムを例に挙げて以下に説明する。
【００２０】
＜システム概要＞
まず、第１実施形態に係る文書処理システムの概要について説明する。この文書処理システムは、一般のアプリケーションによって作成されたデータファイルを電子原稿ファイルに変換する電子原稿ライタと、電子原稿ファイルを編集する機能を提供する製本アプリケーションを含む。
【００２１】
＜システム構成及び動作の概略＞
図１は、第１実施形態の文書処理システムのソフトウェア構成を示す図である。文書処理システムは、コンピュータ（ＰＣ）１００が各種アプリケーションプログラムを実行することによって実現されている。
【００２２】
一般アプリケーション１０１は、ワードプロセシングやスプレッドシート、フォトレタッチ、ドロー、テキスト編集などの機能を提供するアプリケーションプログラムである。これらのアプリケーションは、作成された文書データや画像データなどのアプリケーションデータを印刷する際に、オペレーティングシステム（ＯＳ）によって提供される所定の画像出力インタフェースを利用する。即ち、一般アプリケーション１０１は、作成したデータを印刷するために、上述のインタフェースを提供するＯＳの出力モジュールに対して、所定のＯＳ依存の出力コマンド（ＧＤＩ関数と呼ばれる）を送信する。一方、出力コマンドを受けた出力モジュールは、その出力コマンドをプリンタ等の個々の出力デバイスが処理可能な形式に変換して、変換されたコマンド（ＤＤＩ関数と呼ばれる）を出力する。出力デバイスが処理可能な形式はデバイスの種類やメーカ、機種などによって異なるため、デバイスごとにデバイスドライバが提供されている。ＯＳではそのデバイスドライバを利用してコマンドの変換を行い、印刷データを生成し、ＪＬ（Job Language）でまとめることにより印刷ジョブが生成される。ＯＳとしてマイクロソフト社のウインドウズを利用する場合には、上述の出力モジュールはＧＤＩ（Graphic Device Interface）モジュールが相当する。
【００２３】
電子原稿ライタ１０２は、デバイスドライバに対応するものであり、文書処理システム実現のために提供されるソフトウェアモジュールである。但し、電子原稿ライタ１０２は特定の出力デバイスを目的としておらず、出力コマンドを後述する製本アプリケーション１０４やプリンタドライバ１０６により処理可能なデータ形式に変換する。この電子原稿ライタ１０２による変換後の形式（以後電子原稿形式と呼ぶ）は、ページ単位の原稿を詳細な書式をもって表現可能であれば特に問わない。実質的な標準形式のうち、例えば米アドビシステムズ社によるＰＤＦ形式やＳＶＧ形式などが電子原稿形式として採用できる。
【００２４】
一般アプリケーション１０１から電子原稿ライタ１０２を利用させる場合には、出力に使用するデバイスドライバとして電子原稿ライタ１０２を指定してから印刷を実行させる。但し、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。そして、製本アプリケーション１０４は電子原稿ライタ１０２が生成した新規の不完全な電子原稿ファイルを後述する形式を備えた電子原稿ファイルとして完成させる。以下、この点を明瞭に識別する必要がある場合、電子原稿ライタ１０２によって作成されたファイルを”電子原稿ファイル”と呼び、製本アプリケーション１０４によって構造を与えられた電子原稿ファイルを”ブックファイル”と呼ぶ。なお、以降では、特に区別する必要がない場合は、アプリケーションにより生成されるドキュメントファイル、電子原稿ファイル、及びブックファイルをいずれも文書ファイル（または文書データ）と呼ぶ。
【００２５】
一般アプリケーション１０１は、デバイスドライバとして電子原稿ライタ１０２を指定し対象のデータを印刷させることで、電子原稿ファイル１０３をハードディスクなどの記憶媒体に格納する。電子原稿ファイル１０３は、一般アプリケーション１０１によって定義されたページ（以後”原稿ページ”と呼ぶ）を単位とする電子原稿形式のデータである。
【００２６】
製本アプリケーション１０４は電子原稿ファイル（あるいはブックファイル）１０３を読み込み、それを編集するための機能を利用者（ユーザ）に提供する。但し、製本アプリケーション１０４は、各ページの内容（オブジェクト）を編集する機能は提供しておらず、後述する章やブックの構造を編集するための機能を提供している。特に、第１実施形態に置いては台割処理（レイアウト処理）の機能を提供している。
【００２７】
製本アプリケーション１０４によって編集された電子原稿ファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールである。製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７用のプリンタドライバ１０６がデバイスドライバとして指定される。上述の出力モジュールは、受信した出力コマンドをデバイスコマンドに変換して指定されたプリンタ（画像形成装置）１０７用のプリンタドライバ１０６に出力し、そのプリンタドライバ１０６がプリンタ１０７で解釈可能なページ記述言語等のコマンドに変換する。そして、変換されたコマンドはプリンタドライバ１０６から不図示のシステムスプーラを介してプリンタ１０７に送信され、プリンタ１０７によってコマンドに応じた画像が用紙などの記録媒体上に印刷される。
【００２８】
図２は、コンピュータ１００のハードウェアブロック図である。
【００２９】
ＣＰＵ２０１は、ＲＯＭ２０３あるいはハードディスク２１１からＲＡＭ２０２にロードされたＯＳや一般アプリケーション、製本アプリケーションなどのプログラムを実行する。そうすることにより、図１の各ソフトウェアの機能を実現し、後述するフローチャートの手順を実現する。ＲＡＭ２０２は、ＣＰＵ２０１の主メモリ、ワークエリア等として機能する。キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ２１０の表示を制御する。ディスクコントローラ（ＤＫＣ）２０７は、ブートプログラム、種々のアプリケーション、フォントデータ、ユーザファイル、後述する編集ファイル等を記憶するハードディスク（ＨＤ）２１１やフロッピー（登録商標）ディスク（ＦＤ）等とのアクセスを制御する。ＰＲＴＣ２０８は、接続されたプリンタ１０７との間の信号の交換を制御する。ＮＣ２１２はネットワークに接続されて、ネットワークに接続された他の機器との通信制御処理を実行する。 
＜電子原稿データの形式＞
製本アプリケーション１０４の詳細について説明する前に、ブックファイルのデータ形式について説明する。
【００３０】
ブックファイルは紙媒体の書物を模倣した３層の層構造を有する。まず、上位層は”ブック”と呼ばれ、１冊の本を模倣しており、その本全般に係る属性が定義されている。その下の中間層は、本でいう章に相当し、やはり電子原稿データ上でも”章”と呼ばれる。各章についても、章毎の属性が定義できる。そして、下位層は”ページ”であり、アプリケーションプログラムで定義された各ページに相当する。尚、各ページについてもページ毎の属性が定義できる。更に、一つのブックは複数の章を含んでいてよく、また一つの章は複数のページを含むこともできる。
【００３１】
図３（ａ）は、ブックファイルの形式の一例を模式的に示す図である。また、図３（ｂ）は、データの実体である原稿データの形式の一例を模式的に示す図である。
【００３２】
この例では、ブックファイルにおけるブック，章，ページは、それぞれに相当するノードにより示されている。一つのブックファイルは一つのブックを含む。ブック，章は、ブックとしての構造を定義するための概念であるから、定義された属性値と下位層へのリンクとをその実体として含む。ページは、アプリケーションプログラムによって出力されたページ毎のデータを実体として有する。そのため、ページは、その属性値のほかに、原稿ページの実体（原稿ページデータ）と各原稿ページデータへのリンクを含む。尚、紙媒体等に出力する際の印刷ページは複数の原稿ページを含む場合がある。この構造に関してはリンクによって表示されず、ブック、章、ページ各階層における属性として表示される。つまり、ブックファイル（原稿画像データ）は、各々が１以上のオブジェクトを有する順序付けられた複数のページ（画像データ）により構成されている。
【００３３】
ブック３０１では、ブック属性が定義されていると共に、２つの章３０２Ａ，３０２Ｂがリンクされている。このリンクにより、章３０２Ａ，３０２Ｂがブック３０１に包含されていることが示される。章３０２Ａには、ページ３０３Ａ，３０３Ｂがリンクされ、これらページが含まれることが示されている。各ページ３０３Ａ，３０３Ｂにはそれぞれ属性値が定義され、その実体である原稿データ（１）、（２）へのリンクが含まれる。つまり、ここでは、ページ３０３Ａ、３０３Ｂの実体が原稿データ（１）、（２）であることを表示している。
【００３４】
図４は、ブック属性のリストを示す図である。また、図５は章属性の、図６はページ属性のリストを示す図である。下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。尚、図示された各項目は具体的に１項目に対応するのではなく、関連する複数の項目を含むものもある。章属性とページ属性との関係もブック属性と下位層の属性との関係と同様である。
【００３５】
図４〜図６から明らかなように、ブック属性に固有の項目は、印刷方法、製本詳細、表紙／裏表紙、インデックス紙、合紙、章区切りの６項目である。これらはブックを通して定義される項目である。印刷方法の属性としては、片面印刷、両面印刷、製本印刷の３つの値を指定できる。ここで、製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００３６】
表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００３７】
合紙属性は、章の区切りとして、インサータから、あるいは給紙カセットから供給される用紙の挿入の指定、及び合紙を挿入する場合には、給紙元の指定などを含む。
【００３８】
章区切り属性は、章の区切り目において、新たな用紙を使用するか、新たな印刷ページを使用するか、特に何もしないか等の指定を含む。片面印刷時には、新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００３９】
章属性に関しては、章に固有の項目はなく、全てブック属性と重複する。従って、章属性における定義とブック属性における定義とが異なれば、章属性で定義された値が優先する。ブック属性と章属性とにのみ共通する項目は、用紙サイズ、用紙方向、Ｎ−ｕｐ印刷指定、拡大縮小、排紙方法の５項目である。これらのうち、Ｎ−ｕｐ印刷指定属性は１印刷ページに含まれる原稿ページ数を指定するための項目である。指定可能な配置としては、１×１、１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００４０】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎ−ｕｐ等の指定に応じて配置した場合に、１原稿ページが占める領域である。例えば、１×１であれば、仮想論理ページ領域は１印刷ページに相当する領域となり、１×２であれば、１印刷ページの各辺を約７０パーセントに縮小した領域となる。
【００４１】
ブック、章、ページについて共通な属性としては、ウォーターマーク属性及びヘッダ・フッタ属性がある。ここで、ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。但し、ヘッダ・フッタには、ページ番号や日時など変数により指定可能な項目が用意されている。尚、ウォーターマーク属性およびヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００４２】
＜ブックファイルの生成手順＞
以下では製本アプリケーション１０４及び電子原稿ライタ１０２によるブックファイルの作成手順について説明する。ブックファイルの作成手順は、製本アプリケーション１０４によるブックファイルの編集操作の一環として実現される。
【００４３】
図７は、製本アプリケーション１０４によりブックファイルを開く際の動作フローチャートである。なお、以下の動作はＣＰＵ２０１が製本アプリケーション１０４を実行することにより実現される。
【００４４】
まず、開こうとするブックファイルが、新規作成すべきものであるか、それとも既存のものであるか判定する（ステップＳ７０１）。新規作成の場合には、章を含まないブックファイルを新規に作成する（ステップＳ７０２）。新規に作成されるブックファイルは、図３の例で示せば、ブックノードのみ有し、章のノードに対するリンクが存在しないブックのノードとなる。ブック属性は、新規作成用としてあらかじめ用意された属性のセットが適用される。そして、新規ブックファイルを編集するためのユーザインタフェース（ＵＩ）画面を表示する（ステップＳ７０３）。図１１は、新規にブックファイルが作成された際のＵＩ画面の一例である。この場合は、ブックファイルは実質的な内容を持たないため、ＵＩ画面１１００のブックファイル表示領域には何も表示されない。
【００４５】
一方、既存のブックファイルがあれば、指定されたブックファイルを開き（ステップＳ７０３）、そのブックファイルの構造、属性、内容に従ってユーザインタフェース（ＵＩ）画面を表示する。図１０は、指定されたブックファイルを表示するＵＩ画面の一例である。ＵＩ画面１１００は、ブックの構造を示すツリー部１１０１と、印刷された状態を表示するプレビュー部１１０２とを含む。ツリー部１１０１には、ブックに含まれる章、各章に含まれるページが図３（ａ）のような木構造で表示される。ツリー部１１０１に表示されるページは原稿ページである。またプレビュー部１１０２には、印刷ページの内容が縮小されて表示される。その表示順序はブックの構造を反映したものとなっている。
【００４６】
開かれたブックファイルには、電子原稿ライタ１０２によって電子原稿ファイルに変換されたアプリケーションデータを、新たな章として追加することができる。この機能を電子原稿インポート機能と呼ぶ。図７に示した動作によって新規に作成されたブックファイルに電子原稿インポートすることで、そのブックファイルには実体が与えられる。この機能は、例えば図１０の画面において、アプリケーションデータをドラッグアンドドロップ操作することで実現される。
【００４７】
図８に電子原稿インポートの手順を示す。まず、指定されたアプリケーションデータを生成したアプリケーションプログラムを起動し、デバイスドライバとして電子原稿ライタ１０２を指定してアプリケーションデータを印刷出力させる。そうすることで、電子原稿データに変換する（ステップＳ８０１）。変換を終えたなら、変換されたデータが画像データであるか否かを判定する（ステップＳ８０２）。この判定は、例えば、アプリケーションデータのファイル拡張子に基づいて行われる。例えば、拡張子が「ｂｍｐ」であればウインドウズビットマップデータであり、「ｊｐｇ」であればｊｐｅｇ圧縮された画像データ、「ｔｉｆｆ」であればｔｉｆｆ形式の画像データであると判定できる。また、このような画像データの場合はアプリケーションを起動せずに、画像データから直接電子原稿ファイルを生成することが可能であるため、ステップＳ８０１の処理を省略することも可能である。
【００４８】
ここで、画像データでなかった場合には、ステップＳ８０１で生成された電子原稿ファイルを、現在開かれているブックファイルのブックに、新たな章として追加する（ステップＳ８０３）。章属性としては、ブック属性と共通するものについてはブック属性の値がコピーされ、そうでないものについては、予め用意された規定値に設定される。
【００４９】
また、ステップＳ８０２で画像データである場合には、原則として新たな章は追加されず、指定されている章に、ステップＳ８０１で生成された電子原稿ファイルに含まれる各原稿ページが追加される（ステップＳ８０４）。但し、ブックファイルが新規作成されたファイルであれば、新たな章が作成されて、その章に属するページとして電子原稿ファイルの各ページが追加される。ページ属性は、上位層の属性と共通のものについてはその属性値が与えられ、アプリケーションデータにおいて定義された属性を電子原稿ファイルに引き継いでいるものについてはその値が与えられる。例えば、Ｎ−ｕｐ指定などがアプリケーションデータにおいて指定されていた場合には、その属性値が引き継がれる。このようにして、新規なブックファイルが作成され、あるいは、新規な章が追加される。
【００５０】
図９は、ステップＳ８０１において、電子原稿ライタ１０２により電子原稿ファイルを生成させるための動作フローチャートである。まず、新たな電子原稿ファイルを作成してそれを開く（ステップＳ９０１）。指定したアプリケーションデータに対応するアプリケーションを起動し、電子原稿ライタをデバイスドライバとしてＯＳの出力モジュールに対して出力コマンドを送信させる。出力モジュールは、受信した出力コマンドを電子原稿ライタ１０２によって電子原稿形式のデータに変換し、出力する（ステップＳ９０２）。その出力先はステップＳ９０１で開いた電子原稿ファイルである。そして、指定されたデータ全てについて変換が終了したか判定し（ステップＳ９０３）、終了していれば電子原稿ファイルを閉じる（ステップＳ９０４）。電子原稿ライタ１０２によって生成される電子原稿ファイルは、図３（ｂ）に示される原稿データの実体を含むファイルである。
【００５１】
以上のようにして、アプリケーションデータからブックファイルを作成することができる。
【００５２】
＜ブックファイルの編集＞
生成されたブックファイルについては、章及びページに対して例えば次のような編集操作が可能である。
（１）新規追加、（２）削除、（３）コピー、（４）切り取り、（５）貼り付け、（６）移動、（７）章名称変更、（８）ページ番号名称振り直し、（９）表紙挿入、（１０）合紙挿入、（１１）インデックス紙挿入、（１２）各原稿ページに対するページレイアウト。
【００５３】
このほか、一旦行った編集操作を取り消す操作や、更に取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などの編集操作が可能となる。これらの操作を行うと、図４、図５に示す属性に操作結果が反映されたり、あるいはブックファイルの構造に反映される。例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００５４】
＜ブックファイルの出力＞
上述の通り作成・編集されるブックファイルは、印刷出力を最終目的とするものである。ここで、利用者が図１０に示した製本アプリケーションのＵＩ画面１１００からファイルメニューを選択し、そこから印刷を選択すると、指定した出力デバイスにより印刷出力される。この際、まず製本アプリケーション１０４は、現在開かれているブックファイルからジョブチケットを作成し、そのジョブチケットを電子原稿デスプーラ１０５に渡す。一方、電子原稿デスプーラ１０５は、ジョブチケットをＯＳの出力コマンドに変換し、それを出力モジュールに送信する。出力モジュールは、指定されたプリンタドライバ１０６によってデバイスに適したコマンドを生成し、対応するデバイスに送信する。
【００５５】
ここで、ジョブチケットは原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが関連付けられ、用いるべき用紙の識別子やプリンタにおける給紙口の指定などの属性が含まれる。各用紙ノードには、その用紙で印刷されるシートのノードが関連付けられる。１シートは１枚の用紙に相当する。各シートには、印刷ページ（物理ページ）が関連付けられる。片面印刷ならば１シートには１物理ページが関連付けられ、両面印刷ならば１シートに２物理ページが関連付けられる。各物理ページには、その上に配置される原稿ページが関連付けられる。また物理ページの属性としては、原稿ページのレイアウトが含まれる。
【００５６】
電子原稿デスプーラ１０５は、上述のジョブチケットを、出力モジュールへの出力コマンドに変換する。
【００５７】
＜プレビュー表示の内容＞
上述したように、ブックファイルが製本アプリケーションによって開かれると、図１０に示したユーザインタフェース画面１１００が表示される。ツリー部１１０１には、現在開いているブック（以下、「注目ブック」と呼ぶ）の構造を示すツリーが表示される。プレビュー部には、利用者の指定に応じて、例えば以下の３通りの表示モードが用意されている。
【００５８】
まず、第１の表示モードは原稿ページをそのまま表示する原稿ビューと呼ばれるモードである。この原稿ビューモードでは、注目ブックに属する原稿ページの内容が縮小されて表示される。尚、プレビュー部１１０２の表示にレイアウトは反映されない。第２の表示モードは印刷ビューモードである。この印刷ビューモードでは、プレビュー部１１０２には原稿ページのレイアウトが反映された形で原稿ページが表示される。第３の表示モードは簡易印刷ビューモードである。この簡易印刷ビューモードでは、各原稿ページの内容はプレビュー部の表示には反映されず、レイアウトのみが反映される。
【００５９】
＜ステイプル制御＞
次に、ステイプル機能を有するプリンタと接続するコンピュータ１００の製本アプリケーション１０４によって行われるステイプル制御について説明する。
【００６０】
図１３は、ステイプル制御システムの構成を示すブロック図である。図示するように、ステイプル制御システムは、図２に示したコンピュータ１００とステイプル機能を有するプリンタ１０７とで構成される。
【００６１】
プリンタ１０７において、１３０１はプリンタＣＰＵである。プリンタＣＰＵは、ＲＯＭ１３０２内のプログラム用ＲＯＭに記憶された制御プログラム等や外部メモリ１３０３に記憶された制御プログラム等を実行する。それにより、システムバス１３０４に接続される印刷部Ｉ／Ｆ１３０５を介して、印刷部（プリンタエンジン）１３０６に出力情報としての画像信号を出力する。ＲＯＭ１３０２内のプログラムＲＯＭには、ＣＰＵ１３０１の制御プログラム等が記憶されている。ＲＯＭ１３０２内のフォント用ＲＯＭには、出力情報を生成する際に使用するフォントデータ等が記憶されている。ＲＯＭ１３０２内のデータ用ＲＯＭには、ハードディスク等の外部メモリ１３０３がないプリンタの場合、コンピュータ１００上で利用される情報等が記憶されている。
【００６２】
また、ＣＰＵ１３０１は、入力部１３０７を介してコンピュータ１００との通信処理が可能となっており、プリンタ１０７内の情報等をコンピュータ１００に通知できる。ＲＡＭ１３０８は、ＣＰＵ１３０１の主メモリや、ワークエリア等として機能するＲＡＭであり、図示しない増設ポートに接続されるオプションＲＡＭによりメモリ容量を拡張することができるように構成されている。
【００６３】
尚、ＲＡＭ１３０８は、出力情報展開領域、環境データ格納領域、ＮＶＲＡＭ等に用いられる。上述したハードディスク（ＨＤ）、ＩＣカード等の外部メモリ１３０３は、メモリコントローラ（ＭＣ）１３０９によりアクセスを制御される。外部メモリ１３０３は、オプションとして接続され、フォントデータ、エミュレーションプログラム、フォームデータ等を記憶する。また、操作パネル１３１１は操作のためのスイッチ及びＬＥＤ表示器等で構成されている。
【００６４】
また、上述の外部メモリ１３０３は１個に限らず、複数個備えられ、内蔵フォントに加えてオプションカード、言語系の異なるプリンタ制御言語を解釈するプログラムを格納した外部メモリを複数接続できるように構成されていても良い。更に、図示しないＮＶＲＡＭを有し、操作パネル１３１１からのプリンタモード設定情報を記憶するようにしても良い。
【００６５】
＜システムの動作フロー＞
図１６は、第１実施形態に係る製本システムにおける構成要素を示している。１６０１はＬＡＮ、ＷＡＮなどのネットワークを示している。１６０２は断裁機を示している。つまり、コンピュータ１００とプリンタ１０７と断裁機１６０２がＬＡＮなどのネットワーク１６０１によって接続されている構成で実現される。
【００６６】
図１７は、第１実施形態に係る全体の処理フローチャートである。以下の動作は、ＣＰＵ２０１が製本アプリケーション１０４を実行することにより実現される。
【００６７】
ステップＳ１７０１では、製本アプリケーション１０４は、製本情報を取得する。具体的には、ＬＡＮなどのネットワーク１６０１で接続された出力先のプリンタ１０７および断裁機１６０２から構成情報を取得して、使用可能な製本方法の情報を取得する。そして、製本アプリケーション１０４は、例えば製本方法指定のためのＵＩを介して作業者が指定した製本方法の情報を取得する。
【００６８】
ステップＳ１７０２では、製本アプリケーション１０４は、用紙の構成情報を取得して、コンピュータ内のＲＡＭ２０２に格納する。ステップＳ１７０１で取得した製本方法の情報から、製本アプリケーション１０４は用紙の構成情報を取得する。取得した用紙構成情報は、図１８（ａ）で示すような用紙構成情報リスト１８０１で管理しておく方式でも良い。図１８（ｂ）は、用紙構成の定義を示している概念図である。たとえば、中綴じ製本を例に取ると、用紙の表面の左ページが“ａ”、右ページが“ｂ”、裏面の左ページが“ｃ”、右ページが“ｄ”というように定義する。つまり、用紙構成情報リスト１８０１では、原稿データのページ番号がレイアウトされる位置を規定している。例えば、１ページ目は、表面の右ページに配置されるため用紙番号１ｂと管理され、２ページ目は、裏面の左ページに配置されるため用紙番号１ｃと管理される。
【００６９】
ステップＳ１７０３では、製本アプリケーション１０４は入稿データを認識する。
【００７０】
図１９は、製本アプリケーション１０４のＵＩの図を示している。１９０１はタイトルバー、１９０２はメニューツールバー、１９０３はツールバーを示している。１９０４は、プレビュー領域１１０２に表示されるプレビューの種類を切り替えるリストボックスを示している。１９０５は、指定されている製本設定のアイコンを示している。１９０６は、ページレイアウト済みの原稿データのプレビュー画像を示している。１９０７は、マウスのポインタを示している。１９０８は、入稿された原稿データを示している。１９０９は、入稿する原稿データの場所を示す、指示線を示している。１９１０は、１１０１のツリー部において入稿する原稿データの位置を示す指示線を示している。原稿データの入稿は、マウスを操作し、入稿する原稿データを入稿する位置にドラッグ＆ドロップすることにより実行される。原稿データをプレビュー部１１０２の内側にドラッグすると、ドロップ時に入稿される位置が指示線（１９０９，１９１０）で表示される。見開きページをページレイアウトしたい位置で原稿データをドロップすると、印刷アプリケーションは入稿されたことを認識する。原稿データの入稿の方法は、ドラッグ＆ドロップに限らず、メニューによる指定などの方法でもかまわない。
【００７１】
ステップＳ１７０４では、製本アプリケーション１０４は、ステップＳ１７０３で入稿された位置から、ページレイアウト対象ページ番号を特定して、その番号を定数Ｍに代入する。
【００７２】
ステップＳ１７０５では、製本アプリケーション１０４は、用紙構成情報リスト１８０１に見開きページの情報を格納する。図２０は、用紙構成情報リスト１８０１に見開きページ情報２００１を加えたものを示している。たとえば、１２ページの中綴じ製本であれば、ページ番号”１”に対応する見開きページの番号は”１２”、ページ番号”２”に対応する見開きページの番号は”３”となる。ページ番号”３”に対応する見開きページの番号は”２”であるが、ページ番号が大きいものから小さいものへの対応関係は便宜上排除する。従って、ページ番号”３”に対応する見開きページの番号は”―”となる。このようにして、用紙構成情報リスト１８０１のページ番号について、見開きページの番号を格納する。
【００７３】
ステップＳ１７０６では、製本アプリケーション１０４は、入稿された原稿データをページレイアウトする。なお、ページレイアウト処理の詳細については後述する。ステップＳ１７０６において、製本アプリケーション１０４が、入稿された原稿データを分割してレイアウトすると判定した場合は、ステップＳ１７０７の処理へ進む。逆にステップＳ１７０６において、製本アプリケーション１０４が、入稿された原稿データを分割せずにレイアウトすると判定した場合は、ステップＳ１７０８の処理へと進む。
【００７４】
ステップＳ１７０７では、製本アプリケーション１０４は、入稿された原稿データをページ分割をしてページレイアウトし、さらにレイアウトの補正を行う。ステップＳ１７０８では、製本アプリケーション１０４は、入稿された原稿データをページ分割をせずにページレイアウトし、さらにレイアウトの補正を行う。
【００７５】
ステップＳ１７０９では、製本印刷のノド側の補正を行うか否かの判定をする。ノド側の補正を行う場合は、ステップＳ１７１０へ進む。そして、ステップＳ１７１０では、印刷アプリケーションは、製本方法の特性を考慮したノド側の補正を行う。なお、ノド側の補正処理の詳細については後述する。
【００７６】
＜ページレイアウト処理（ステップＳ１７０６）の詳細＞
図２１は、ページレイアウト処理のフローチャートである。
【００７７】
ステップＳ２１０１では、製本アプリケーションは、入稿された原稿データの特性と製本設定とから、入稿された原稿データが見開きページ用のデータか否かを判定する。見開きページ判定処理の詳細については後述する。製本アプリケーションが、入稿された原稿データを見開きページと判定した場合、ステップＳ２１０２へ進む。製本アプリケーションが、入稿された原稿データを見開きページではないと判定した場合、処理を終了し、通常のページレイアウト処理を行なう。
【００７８】
ステップＳ２１０２では、図１７のステップＳ１７０４で格納したページレイアウト対象ページ番号Ｍが見開きレイアウト可能なページか否かを判定する。具体的には、用紙構成情報リストを参照して、ページレイアウト対象ページ番号Ｍが見開きレイアウト可能か否かを判定する。ページレイアウト対象ページ番号Ｍに対応する見開きページが存在すれば、見開きレイアウト可能と判定する。逆に、ページレイアウト対象ページ番号Ｍに対応する見開きページが存在しなければ、見開きレイアウト不可能と判定する。ページ番号Ｍが見開きレイアウト可能なページであると判定した場合はステップＳ２１０３へ進む。一方、ページ番号Ｍが見開きレイアウト不可能なページと判定した場合は本処理を終了する。用紙の構成を鑑みた結果、見開きページをレイアウトできない場合は、入稿データのページレイアウト処理をエラーとして処理を終了する。または、入稿された原稿データを見開きではなく１ページものとしてページレイアウトして処理を終了する。
【００７９】
ステップＳ２１０３では、製本アプリケーション１０４は、用紙構成情報を更新する。ステップＳ２１０２において、ページレイアウト対象ページ番号Ｍが見開きレイアウト可能と判定した場合は、製本アプリケーション１０４は前述したステップＳ１７０５で格納した用紙構成情報を更新する。見開きページ（つまり物理ページでは２ページ分）が入稿されることで、全体のページが増加することになるため、この更新処理が必要となる。
【００８０】
図２２は、前述した図２０の用紙構成情報リストをステップＳ２１０３の処理で更新した場合の例を示している。２２０１は更新された用紙構成情報リストである。１２ページの中綴じ製本に見開きページ２ページ分が増えることになるため、出力する用紙枚数が３枚から４枚になり、１６ページの中綴じ製本となる。１６ページの中綴じ製本に対応するように用紙構成情報リストが更新される。
【００８１】
ステップＳ２１０４では、ページレイアウト対象ページ番号Ｍが、ページ分割せずに見開きレイアウト可能か否かを判定する。ステップＳ２１０３で更新した用紙構成情報リストを参照して、ページレイアウト対象のページ番号Ｍが、ページ分割せずに見開きレイアウト可能か否かを判定する。たとえば、ページ番号１であれば、対応する見開きページは１６である。それぞれの用紙番号は１ｂと１ａであり、同一用紙（台紙）の同一面かつ隣接位置にあるため見開きレイアウトが可能と判定する。ページレイアウト対象のページ番号Ｍが、ページ分割せずに見開きレイアウト可能と判定した場合、ステップＳ２１０５へ進む。ページレイアウト対象のページ番号Ｍが、ページ分割せずに見開きレイアウト不可能と判定した場合、図１７のステップＳ１７０７へ進む。
【００８２】
ステップＳ２１０５では、ステップＳ２１０１で見開きページと判定した入稿された原稿データをページ分割する必要があるか否かを判定する。分割判定処理の詳細については後述する。入稿された原稿データをページ分割する場合、図１７の全体フローチャートのステップＳ１７０７に進む。入稿された原稿データをページ分割しない場合、図１７のステップＳ１７０８に進む。  ＜見開きページ判定処理（ステップＳ２１０１）の詳細＞
図２３は、見開きページ判定処理のフローチャートである。
【００８３】
ステップＳ２３０１では、製本アプリケーション１０４は、入稿された原稿データの横の長さと、縦の長さを取得して定数Ｘｎ、Ｙｎにそれぞれ格納する。
【００８４】
ステップＳ２３０２では、製本アプリケーション１０４は、製本後の１ページのレイアウト領域の縦の長さと、横の長さを取得して定数Ｘｓ、Ｙｓに格納する。
【００８５】
図２４は、入稿された原稿データと、製本後の１ページのレイアウト領域の概念図である。２４０１、２４０２は入稿された原稿データを示している。２４０１は、ポートレイト（縦長）型の形状の原稿データの例を示している。２４０２は、ランドスケープ（横長）型の形状の原稿データの例を示している。２４０３は製本された本の概念図を示している。２４０４は製本後の１ページのレイアウト領域を示している。以降で説明するステップＳ２３０３〜ステップＳ２３０５では、ステップＳ２３０１とステップＳ２３０２で取得した原稿データとレイアウト領域の縦横長さを比較する。ここでは、原稿データの縦横の長さの大小関係と、レイアウト領域の縦横長さの大小関係が逆の関係であれば、その原稿データは見開きページ用の原稿データであるとして判定する。
【００８６】
ステップＳ２３０３では、原稿データの縦の長さから、横の長さを引いた値が０以上か否かを判定する。原稿データの縦の長さから、横の長さを引いた値が０以上であった場合は、ステップＳ２３０４へ進む。原稿データの縦の長さから、横の長さを引いた値が０以下であった場合は、ステップＳ２３０５へ進む。なお、縦横の長さの差ではなく比率（アスペクト比）を求め判定しても良い。
【００８７】
ステップＳ２３０４では、レイアウト領域の横の長さから、縦の長さを引いた値が０以上か否かを判定する。レイアウト領域の横の長さから、縦の長さを引いた値が０以上であれば、見開きページの判定条件を満たさないため、見開きページではないという判定結果になる。この場合、前述した見開きページではないという判定の処理へと進む。レイアウト領域の横の長さから、縦の長さを引いた値が０以下であれば、見開きページの判定条件を満たすため、見開きページであるという判定結果になる。この場合、前述したステップＳ２１０２へと進む。
【００８８】
ステップＳ２３０５では、レイアウト領域の横の長さから、縦の長さを引いた値が０以上か否かを判定する。レイアウト領域の横の長さから、縦の長さを引いた値が０以上であれば、見開きページの判定条件を満たすため、見開きページであるという判定結果になる。この場合、前述したステップＳ２１０２へと進む。レイアウト領域の横の長さから、縦の長さを引いた値が０以下であれば、見開きページの判定条件を満たさないため、見開きページではないという判定結果になる。この場合、前述した見開きページではないという判定の処理へと進む。例えば、図２４の２４０１の原稿データを、２４０３のレイアウト領域にページレイアウトする場合は、
Ｙ１−Ｘ１＞０
Ｙ３−Ｘ３＞０
となるため、原稿データ２４０１は見開きページではないと判定する。図２４の２４０２の原稿データを、２４０４のレイアウト領域にページレイアウトする場合は、
Ｙ２−Ｘ２＜０
Ｙ３−Ｘ３＞０
となるため、原稿データ２４０１は見開きページであると判定する。
【００８９】
＜ページ分割判定処理（ステップＳ２１０５）の詳細＞
図２５は、ページ分割判定処理のフローチャートである。
【００９０】
ステップＳ２５０１では、製本アプリケーション１０４は、入稿された原稿データのコンテンツ情報を解析する。コンテンツ情報は、ページ内に描画されている、テキスト・イメージ・図形などのコンテンツ（オブジェクト）の情報を含む。印刷アプリケーションが原稿データの内部データを解析して、各描画コンテンツの位置情報を取得する。取得したそれぞれの位置情報から、ページ分割線をまたがるようなコンテンツが存在するか否かを解析し分断判定を行なう。
【００９１】
図２６は、ステップＳ２５０１のコンテンツ情報解析処理の概念を示した図である。２６０１、２６０２は入稿された原稿データを示している。２６０３はページ分割を行う分割線を示している。ここで、原稿データ２６０１においては、コンテンツ２６０４が分割線２６０３をまたぐように描画されている。
【００９２】
ステップＳ２５０２では、ステップＳ２５０１の解析結果に基づき、ページ分割を実行するか否かを決定する。例えば、ユーザから分割の指定を受け付ける場合には、ステップＳ２５０１の処理結果に応じて、図２７に示すようなメッセージを画面上に表示する。
【００９３】
図２７は、原稿データの分割する・しないの指示を受け付けるためのメッセージダイアログ（受付手段）の図である。２７０１はメッセージダイアログ概観を示している。２７０２はメッセージ本文を示している。メッセージ本文の内容は、ステップＳ２５０１の処理の結果に応じて変更される。例えば、原稿データをページ分割しないでページレイアウトをしたほうが良い場合（図２６の２６０１）は、”原稿データを分割するとコンテンツが分割（分断）される可能性があります。”という警告を示した上で、作業者に判断を促す。一方、原稿データをページ分割してページレイアウトしてもかまわない場合（図２６の２６０２）は、”原稿データは分割してもコンテンツが分割（分断）されることはありません。”という警告を示した上で、作業者に判断を促す。２７０３は分割することを指示するために、作業者が押下するボタンを示している。２７０４は分割しないことを指示するために、作業者が押下するボタンを示している。２７０３のボタンが押下されたことを認識すると、ページ分割しない処理ステップＳ１７０８へ進む。２７０４のボタンが押下されたことを認識すると、ページ分割する処理ステップＳ１７０７へ進む。
【００９４】
なお、分割の判定を自動で行うよう構成してもよい。例えば、原稿データ２６０１は分割線をまたがり複数ページに分断されるコンテンツ（オブジェクト）が存在するため、ページ分割しないでページレイアウトをしたほうが良いと判定する。一方、原稿データ２６０２は、コンテンツ２６０５が分割線２６０３をまたがることはない。そのため、原稿データ２６０２は、ページ分割をしてページレイアウトしてもかまわないと判定するよう構成してもよい。
【００９５】
＜ページレイアウト補正処理（分割ページ）（ステップＳ１７０７）の詳細＞
図２８は、ページレイアウト補正処理（分割ページ）として分割位置補正を行なう場合のフローチャートである。
【００９６】
ステップＳ２８０１では、製本アプリケーション１０４は、指定されている製本方法の情報から綴じ代の幅を取得する。
【００９７】
ステップＳ２８０２では、製本アプリケーション１０４は、原稿データのページレイアウト対象ページ番号Ｍ側から対応する見開きページ側へ（綴じ代÷２）の位置で、原稿データを分割する。
【００９８】
図２９は、分割位置補正の概念を示す図である。２９０１は入稿された原稿データを示している。２９０４は中央線である。今、ページレイアウト対象ページ番号Ｍが４で、対応する見開きページ番号が５であると仮定する。綴じ幅は２９０５で示す幅である。ステップＳ２８０２の処理では、ページレイアウト対象ページ番号Ｍ側（原稿データ２９０１の左側）から、（綴じ代２９０５÷２）の幅対応する見開きページ側にシフトした位置２９０６でページ分割を行う。２９０２は分割後の原稿データを示している。
【００９９】
ステップＳ２８０３では、製本アプリケーション１０４は、ページレイアウト対象ページ番号Ｍに対応する見開きページ側から、ページレイアウト対象ページ番号Ｍ側へ（綴じ代÷２）の位置で、原稿データを分割する。つまり、ステップＳ２８０２で説明した処理を、見開きページ側で行う。ページレイアウト対象ページ番号Ｍ側に対応する見開きページ側（原稿データ２９０１の右側）から、（綴じ代２９０５÷２）の幅ページレイアウト対象ページ番号Ｍ側にシフトした位置２９０７でページ分割を行う。２９０３は分割後の原稿データを示している。
【０１００】
ステップＳ２８０４では、製本アプリケーション１０４は、ステップＳ２８０２、ステップＳ２８０３で分割した原稿データを対応するレイアウト領域にページレイアウトする。つまり、ステップＳ２８０２で分割した原稿データを、ページレイアウト対象ページ番号Ｍのレイアウト領域にページレイアウトする。一方、ステップＳ２８０３で分割した原稿データを、ページレイアウト対象ページ番号Ｍに対応する見開きページのレイアウト領域にページレイアウトする。ここで、２９０８は用紙、２９０９はレイアウト領域を示している。２９１０はページレイアウトされた原稿データを示している。２９１１は用紙の中央線を示している。２９１２は、分割された原稿データ２９０２をレイアウト領域にページレイアウトした結果を示している。２９１３は、分割された原稿データ２９０３をレイアウト領域にページレイアウトした結果を示している。外側にシフトして分割した分、綴じ代に原稿が重なる形となる。このような処理を行なうことにより、製本完了時の本の当該見開きページを開けたときに、ノド側に空白が出ることがなく、見開きページを読むことが可能になるという利点がある。
【０１０１】
図３０は、ページレイアウト補正処理（分割ページ）として変倍拡縮処理を行なう場合のフローチャートである。
【０１０２】
ステップＳ３００１では、製本アプリケーション１０４は、入稿された原稿データを分割する。
【０１０３】
図３１は、変倍拡縮処理の概念を示す図である。３１０１は原稿データを示している。３１０４は中央線を示している。ステップＳ３００１のページ分割処理は、３１０４の中央線で原稿データを分割する。
【０１０４】
ステップＳ３００２では、製本アプリケーション１０４は、ステップＳ３００１で分割したページレイアウト対象ページ番号Ｍ側の原稿データ３１０２を、ページレイアウト対象ページ番号Ｍのレイアウト領域にページレイアウト３１０６する。
【０１０５】
ステップＳ３００３は、製本アプリケーション１０４は、ステップＳ３００１で分割したページレイアウト対象ページ番号Ｍに対応する見開きページ側の原稿データ３１０３を、見開きページのレイアウト領域３１０８にページレイアウトする。
【０１０６】
ステップＳ３００４において、製本アプリケーション１０４は、指定されている製本方法の情報から綴じ代の幅３１０５を取得する。
【０１０７】
ステップＳ３００５において、製本アプリケーション１０４は、ステップＳ３００１、ステップＳ３００２でページレイアウトした原稿データのノド側（３１０７、３１０９）を（綴じ代÷２）の幅で変倍拡縮する（画像修正手段）。例えば、綴じ側端周辺の、（綴じ代÷２）幅をノド側へ変倍拡縮することで、綴じ代幅に原稿データを重ねることが可能になる。
【０１０８】
このような処理を行なうことにより、製本完了時の本の見開きページを開けたときに、ノド側に空白が出ることがなく、見開きページを読むことが可能になる。ここで変倍の拡縮にしているのは、ページの中心に近づくにつれて、製本したときの可視率は落ちていく特性を考慮しているためである。ページの中心位置は粗い拡大を行い、原稿側に進むにつれて細かい拡大にすることで、ノド側以外の原稿データには影響を少なくすることができる。
【０１０９】
なお、図２８および図３０で示した処理はどちらか一方のみを適用することになる。どちらを適用するのかの判定処理は、印刷アプリケーションの設定などに基づいて自動的に実行しても良いし、作業者の入力指示に応じて実行しても良い。たとえば図３２で示すようなメッセージダイアログを印刷アプリケーションが表示して、ユーザの指示に従って適用する処理を切り替える方法でも良い。３２０１はメッセージダイアログ概観を示している。３２０２は、適用する補正処理を選択するラジオボタン、３２０３は３２０２で選択した補正処理を確定するＯＫボタン、３２０４は補正方法の指定をキャンセルするキャンセルボタンを示している。
【０１１０】
ラジオボタン３２０２により、図２８および図３０で示した処理のどちらかを選択する。そして、ＯＫボタン３２０３を押下することで、適用する補正方法を切り替える。この方法ではなく、印刷アプリケーション内部で常にどちらか一方の補正処理を実行するでもかまわない。また、例えば綴じ代の幅がｘｘ以上という閾値を使って、適用する補正処理を切り替える方法でもかまわない。
【０１１１】
上述のページレイアウト補正処理（分割ページ）は、平綴じ製本を例にとって説明したが、他の製本方法であっても綴じ代の値などを考慮にいれて、同様に補正処理が可能である。
【０１１２】
＜ページレイアウト補正処理（非分割ページ）（ステップＳ１７０８）の詳細＞
図３３は、ページレイアウト補正処理（非分割）のフローチャートである。
【０１１３】
ステップＳ３３０１では、製本アプリケーション１０４は、ページレイアウトページ番号Ｍと対応する見開きのレイアウト領域に入稿された原稿データをページレイアウトする。つまり、見開き用の原稿データをページ分割せずにレイアウト可能な見開きページに、原稿データを分割せずにページレイアウトする。
【０１１４】
ステップＳ３３０２では、製本アプリケーション１０４は、指定されている製本方法の情報から綴じ代の幅を取得する。
【０１１５】
ステップＳ３３０３では、製本アプリケーション１０４は、ページレイアウトした原稿データの中心から外側へ（綴じ代÷２）幅を変倍拡縮する。
【０１１６】
図３４はページレイアウト補正処理（非分割）の概念を示す図である。この図では平綴じ製本を例にしている。３４０１は用紙、３４０２はページレイアウト領域を示している。３４０３はページレイアウトした原稿データを示している。３４０４は中央線（実際は印刷されない）を示している。３４０５は綴じ代幅を示している。３４０６はステイプル針を示している。綴じ代幅３４０５は、製本されたときにノドになる部分で、綴じの影響で原稿が見えなくなる可能性がある幅である。分割せずに原稿データをページレイアウトしたときは、綴じ代幅の部分に原稿が重なるため補正が必要となる。（綴じ代÷２）幅を中心から外側に（つまり現在処理中のページ番号に基づいて）変倍拡縮することで、綴じ代幅に重なっていた原稿データを重ならないように補正することが可能になる。ここで変倍の拡縮、つまり、処理幅（処理量）を可変にしているのは、ページの中心に近づくにつれて、製本したときの可視率は落ちていく特性を考慮しているためである。ページの中心位置は粗い拡大を行い、外側に進むにつれて細かい拡大にすることで、ノド側以外の原稿データには影響を少なくすることが可能である。
【０１１７】
上述のページレイアウト補正処理（非分割ページ）は、平綴じ製本を例にとって説明したが、他の製本方法であっても綴じ代の値などを考慮にいれて、同様に補正処理が可能である。
【０１１８】
＜ノド側の補正処理（ステップＳ１７１０）の詳細＞
図３５は、ノド側の補正処理（１）のフローチャートである。また、図３６（ａ）は、ノドの特性を説明するため平綴じ製本における本のノドを横から見た場合の概念図である。
【０１１９】
３６０１は用紙、３６０２はステイプルを示している。３６０３は、綴じ代を示しており、綴じの影響で原稿データが見えなくなってしまう可能性がある幅を固定長でとっている。３６０４は、ページをめくったときに用紙の厚みによって、隠れてしまう幅を示している。この幅は、めくったページ数に応じて、動的に変化する幅である。
【０１２０】
図３６（ｂ）は、平綴じ・左開き・１００ページの本全体を横から見た概念図である。めくられているページ数によってそれぞれの状態を示している。１〜１０ページ（３６０５）、１１〜４９ページ（３６０６）、５０，５１ページ（３６０７）、５２〜９０ページ（３６０８）、９１〜１００ページ（３６０９）の５パターンの本の状態を示している。３６０５、３６０６など総ページ数に比べてめくっているページ番号が小さいときは、図３６（ａ）で示した３６０４の幅は、めくったページ数に従って増加する傾向にある。しかし、総ページ数の半分（真ん中）３６０７を境に、図３６（ａ）で示した３６０４の幅は、めくったページ数に従って減少する傾向にある。３６０８、３６０９は、まだめくっていない（残っている）ページ数によって、図３６（ａ）で示した３６０４の幅が、変化する様子を示している。ノド側の補正処理は、このような、本をめくったときのノドの特性を考慮した補正処理である。
【０１２１】
ステップＳ３５０１では、製本アプリケーション１０４は、本の総ページ数を取得して、定数Ｓに代入する処理である。
【０１２２】
ステップＳ３５０２では、製本アプリケーション１０４は、変数ｋに１を代入する。
【０１２３】
ステップＳ３５０３では、製本アプリケーション１０４は、変数ｋが総ページの半数よりも小さいか否かを判定する。変数ｋが総ページ数の半数よりも小さければ、ステップＳ３５０４へ進む。変数ｋが総ページ数の半数よりも大きければ、ステップＳ３５０５へ進む。
【０１２４】
ステップＳ３５０４では、製本アプリケーション１０４は、ページ番号ｋの原稿データをシフトする厚みを算出する。まずは、ページ番号ｋはめくった用紙の何枚目かを算出する。用紙の裏表にページは存在するので、ｋ／２でページ番号ｋがめくった用紙の何枚目に存在するのかがわかる。ただし、ｋ／２で余りが出た場合は、（ｋ＋１）／２の結果を使う。ｋ／２から１を減ずることで、ページ番号ｋより前に何枚のページがめくられたのかが算出できる。算出した用紙枚数を元に、用紙の厚みを算出する。
【０１２５】
ステップＳ３５０５では、製本アプリケーション１０４は、ステップＳ３５０４と同様にページ番号ｋの原稿データをシフトする厚みを算出する。ただし、ページ番号ｋが総ページの半数よりも大きいので、シフトする厚みは、まだめくられずに残っている用紙の枚数分の厚みとなる。したがって、ｋ／２を総ページ数から引いた値となる。算出した用紙枚数を元に、用紙の厚みを算出する。
【０１２６】
ステップＳ３５０６では、製本アプリケーション１０４は、ページ番号ｋにレイアウトされている原稿データの位置をステップＳ３５０４、ステップＳ３５０５で算出した厚み分ノド側にシフトする。
【０１２７】
ステップＳ３５０７では、製本アプリケーション１０４は、変数ｋをインクリメントする。
【０１２８】
ステップＳ３５０８では、製本アプリケーション１０４は、全ページについて補正処理が終了しているか否かを判定する。まだ全ページ終了していなければ、ステップＳ３５０３へ進み処理を繰り返す。全ページに対して終了していれば、処理は終了となる。
【０１２９】
図３７は、ノド側の補正処理（２）のフローチャートを示している。また、図３８は、ノドの特性を説明するため平綴じ製本における本のノドを横から見た場合の概念図である。
【０１３０】
３８０１は用紙、３８０２はステイプルを示している。ノド側３８０３は、総ページ数の真ん中に近づくにつれて、開きやすくなる特性がある。
【０１３１】
ステップＳ３７０１では、製本アプリケーション１０４は、本の総ページ数を取得して、定数Ｓに代入する。
【０１３２】
ステップＳ３７０２では、製本アプリケーション１０４は、変数ｋに１を代入する。
【０１３３】
ステップＳ３７０３は、製本アプリケーション１０４は、変数ｋが総ページの半数よりも小さいか否かを判定する。変数ｋが総ページ数の半数よりも小さければ、ステップＳ３７０４へ進む。変数ｋが総ページ数の半数よりも大きければ、ステップＳ３７０５へ進む。
【０１３４】
ステップＳ３７０４では、製本アプリケーション１０４は、各ページが全ページに対してどの場所に位置するかを算出する。例えば、総ページ数の真ん中を１（最大）、総ページ数の１ページ目と最終ページを０（最小）としたときの値を算出する。ページ番号ｋが総ページＳの半数よりも小さいときは、２ｋ／Ｓによって値を算出できる。算出した値は変数Ｖに格納する。
【０１３５】
ステップＳ３７０５では、製本アプリケーション１０４は、ステップＳ３７０４と同様、ページ番号ｋがどの値に位置するのかを算出する。ページ番号ｋが総ページ数Ｓの半数よりも大きいときは、”−（２ｋ／Ｓ）＋２”によって値を算出できる。
【０１３６】
ステップＳ３７０６では、製本アプリケーション１０４は、ノド側の最大補正量Ｔを取得する。ノド側の最大補正量は、印刷アプリケーションがあらかじめ決めている値でもかまわないし、綴じ代から自動的に計算される値でもかまわない。また、作業者によって指定された値を使ってもかまわない。
【０１３７】
ステップＳ３７０７では、製本アプリケーション１０４は、ステップＳ３７０４、ステップＳ３７０５で求めた変数ＶにステップＳ３７０６で取得したノド側の最大補正量Ｔをかけた値分、原稿データのノド側を内側に変倍拡縮する。総ページ数の真ん中であれば、Ｖ＝１であるため、拡縮幅は最大となる。前述したとおり、総ページ数の真ん中に近づくにつれて、ノドの開きが目立つようになるため、それを考慮した補正になっている。
【０１３８】
ステップＳ３７０８では、製本アプリケーション１０４は、変数ｋをインクリメントする。
【０１３９】
ステップＳ３７０９では、製本アプリケーション１０４は、全ページについて補正処理が終了しているか否かを判定する。まだ全ページ終了していなければ、ステップＳ３７０３へ進み処理を繰り返す。全ページに対して終了していれば、処理は終了となる。
【０１４０】
上述のノド側の補正処理（１）および（２）は、どちらか一方、あるいは両方を適用することになる。どの補正処理を適用するのかの判定処理は、印刷アプリケーションの設定などで自動的に実行しても良いし、作業者の入力指示に応じて実行しても良い。たとえば図３９で示すようなメッセージダイアログを印刷アプリケーションが表示して、ユーザの指示に従って適用する処理を切り替える方法でも良い。３９０１はメッセージダイアログ概観を示している。３９０２は、適用する補正処理を選択するラジオボタン、３９０３は３９０２で選択した補正処理を確定するＯＫボタン、３９０４は補正方法の指定をキャンセルするキャンセルボタンを示している。
【０１４１】
ラジオボタン３９０２により上述のノド側の補正処理（１）および（２）のどちらか、もしくは両方を選択する。そして、ＯＫボタン３９０３を押下することで、適用する補正方法を切り替える。なお、この方法ではなく、印刷アプリケーション内部で常にどちらか一方の補正処理を実行するでもかまわない。また、例えば綴じ代の幅がｘｘ以上という閾値を使って、適用する補正処理を切り替える方法でもかまわない。
【０１４２】
また、ここでは、平綴じ製本を例にとって説明したが、他の製本方法であってもノドの特性、綴じ代の値などを考慮にいれて、同様に補正処理が可能である。
【０１４３】
以上説明したとおり、第１実施形態に係る文書処理システムによれば、製本方法に適したページレイアウトを簡単に行なえるようにすることが出来る。また、製本方法に適した見開き原稿データのノドの補正処理を簡単に行なえるようになる。そのため、専門の作業者でなくとも、容易にページレイアウトおよびノドの補正処理を適切に行なうことが可能となる。
【０１４４】
（変形例）
文書処理システムの概要は第１実施形態で示したスタンドアロン型のシステムでもよいが、サーバ・クライアントシステムとして構成してもよい。例えば、ブックファイルや印刷処理の管理をサーバで一元的に管理するような構成でもよい。
【０１４５】
図１２は、サーバ・クライアント型文書処理システムの構成を示すブロック図である。サーバ・クライアント型文書処理システムは、ＤＯＭＳドライバ１０９及びＤＯＭＳプリントサービスモジュール１１０、ＤＳクライアントモジュール１０８を加えた構成を有する。ここで、ＤＯＭＳは、Document Output Management Service（文書出力管理サービス）の略である。また、ＤＳは、Document Service（文書サービス）の略である。
【０１４６】
この文書処理システム１２００に文書管理サーバ１２０１、印刷集中管理サーバ１２０２及びプリントサーバ１２０３が接続されている。
【０１４７】
尚、図１２に示す例では、文書管理サーバ１２０１と印刷集中管理サーバ１２０２の両方のサーバがクライアントに接続されているが、何れか一方のみネットワーク上に存在する場合もあり得る。例えば、接続されているサーバが文書管理サーバであれば、そのクライアントモジュール１０８を含む文書管理サーバクライアントシステム１２０１ＳＣが追加される。また印刷集中管理サーバ１２０２であれば、そのクライアントモジュールを含む印刷管理サーバクライアントシステム１２０２ＳＣが追加される。
【０１４８】
文書管理サーバ１２０１は、製本アプリケーション１０４により作成・編集されたブックファイルを格納するサーバである。ブックファイルは文書管理サーバ１２０１のデータベース１２１１に保存される。製本アプリケーション１０４と文書管理サーバ１２０１との間のブックファイルの保存及び読み出しは、ＤＳクライアント１０８及びＤＳコア１２１２を介して行われる。
【０１４９】
印刷集中管理サーバ１２０２は、ブックファイルの印刷を管理するサーバである。クライアントにおける印刷要求は、ＤＯＭＳドライバ１０９およびＤＯＭＳプリントサービスモジュール１１０を介して印刷集中管理サーバ１２０２のＤＯＭＳＷＧサーバモジュール１２２１に送信される。印刷集中管理サーバ１２０２は、ＤＯＭＳプリントサービスモジュール１１０を介して電子原稿デスプーラ１０５に電子原稿データを渡す。プリントサーバ１２０３により印刷する場合には、プリントサーバ１２０３のＤＯＭＳプリントサービスモジュール１２３１に送信する。
【０１５０】
（他の実施形態）
以上、本発明の実施形態について詳述したが、本発明は、複数の機器から構成されるシステムに適用しても良いし、また、一つの機器からなる装置に適用しても良い。
【０１５１】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード（コンピュータプログラム）自体も本発明の技術的範囲に含まれる。
【０１５２】
その場合、プログラムの機能を有していれば、オブジェクトコード、インタプリタにより実行されるプログラム、ＯＳに供給するスクリプトデータ等、プログラムの形態を問わない。
【０１５３】
プログラムを供給するための記録媒体としては、例えば、フロッピー（登録商標）ディスク、ハードディスク、光ディスク（ＣＤ、ＤＶＤ）、光磁気ディスク、磁気テープ、不揮発性のメモリカード、ＲＯＭなどがある。
【０１５４】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【０１５５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１５６】
【図１】第１実施形態の文書処理システムのソフトウェア構成を示す図である。
【図２】コンピュータ１００のハードウェアブロック図である。
【図３】ブックファイルの形式および原稿データの一例を模式的に示す図である。
【図４】ブック属性のリストを示す図である。
【図５】章属性のリストを示す図である。
【図６】ページ属性のリストを示す図である。
【図７】製本アプリケーション１０４によりブックファイルを開く際の動作フローチャートである。
【図８】電子原稿インポートの手順を示す図である。
【図９】電子原稿ライタ１０２により電子原稿ファイルを生成させるための動作フローチャートである。
【図１０】指定されたブックファイルを表示するＵＩ画面の一例を示す図である。
【図１１】新規にブックファイルが作成された際のＵＩ画面の一例を示す図である。
【図１２】サーバ・クライアント型文書処理システムの構成を示すブロック図である。
【図１３】ステイプル制御システムの構成を示すブロック図である。
【図１４】各種製本方法における、用紙の台割りを示す図である。
【図１５】各種製本方法の概念を示す図である。
【図１６】第１実施形態に係る製本システムにおける構成要素を示す図である。
【図１７】第１実施形態に係る全体の処理フローチャートである。
【図１８】用紙構成情報リストおよびその定義を示す図である。
【図１９】製本アプリケーション１０４のＵＩの図である。
【図２０】用紙構成情報リスト１８０１に見開きページ情報２００１を加えた図である。
【図２１】ページレイアウト処理のフローチャートである。
【図２２】用紙構成情報リストをステップＳ２１０３の処理で更新した場合の例を示している。
【図２３】見開きページ判定処理のフローチャートである。
【図２４】入稿された原稿データと、製本後の１ページのレイアウト領域の概念図である。
【図２５】ページ分割判定処理のフローチャートである。
【図２６】コンテンツ情報解析処理の概念を示した図である。
【図２７】原稿データの分割指示を受け付けるためのメッセージダイアログの図である。
【図２８】ページレイアウト補正処理（分割ページ）として分割位置補正を行なう場合のフローチャートである。
【図２９】分割位置補正の概念を示す図である。
【図３０】ページレイアウト補正処理（分割ページ）として変倍拡縮を行なう場合のフローチャートである。
【図３１】変倍拡縮の概念を示す図である。
【図３２】処理の指定を受け付けるためのメッセージダイアログの図である。
【図３３】ページレイアウト補正処理（非分割）のフローチャートである。
【図３４】ページレイアウト補正処理（非分割）の概念を示す図である。
【図３５】ノド側の補正処理（１）のフローチャートである。
【図３６】ノドの特性を説明するため平綴じ製本における本のノドを横から見た場合の概念図である。
【図３７】ノド側の補正処理（２）のフローチャートを示している。
【図３８】ノドの特性を説明するため平綴じ製本における本のノドを横から見た場合の概念図である。
【図３９】ノド側の補正処理の指定を受け付けるためのメッセージダイアログの図である。
【図１】
0005132426.tif 000002
【図２】
0005132426.tif 000003
【図３】
0005132426.tif 000004
【図４】
0005132426.tif 000005
【図５】
0005132426.tif 000006
【図６】
0005132426.tif 000007
【図７】
0005132426.tif 000008
【図８】
0005132426.tif 000009
【図９】
0005132426.tif 000010
【図１０】
0005132426.tif 000011
【図１１】
0005132426.tif 000012
【図１２】
0005132426.tif 000013
【図１３】
0005132426.tif 000014
【図１４】
0005132426.tif 000015
【図１５】
0005132426.tif 000016
【図１６】
0005132426.tif 000017
【図１７】
0005132426.tif 000018
【図１８】
0005132426.tif 000019
【図１９】
0005132426.tif 000020
【図２０】
0005132426.tif 000021
【図２１】
0005132426.tif 000022
【図２２】
0005132426.tif 000023
【図２３】
0005132426.tif 000024
【図２４】
0005132426.tif 000025
【図２５】
0005132426.tif 000026
【図２６】
0005132426.tif 000027
【図２７】
0005132426.tif 000028
【図２８】
0005132426.tif 000029
【図２９】
0005132426.tif 000030
【図３０】
0005132426.tif 000031
【図３１】
0005132426.tif 000032
【図３２】
0005132426.tif 000033
【図３３】
0005132426.tif 000034
【図３４】
0005132426.tif 000035
【図３５】
0005132426.tif 000036
【図３６】
0005132426.tif 000037
【図３７】
0005132426.tif 000038
【図３８】
0005132426.tif 000039
【図３９】
0005132426.tif 000040